(57)【要約】【課題】バンドパスフィルタのｇｍを適切に調整する。【解決手段】バンドパスフィルタ３０（または３２）は、２つのオペアンプＯＰ１、ＯＰ２を有している。そして、これらオペアンプＯＰ１、ＯＰ２のｇｍは、トランジスタＱ４１、Ｑ４２に流れる電流によって決定され、このトランジスタＱ４１、Ｑ４２は、トランジスタＱ４３とカレントミラーを構成しており、このトランジスタＱ４３に流れる電流によって決定される。そして、このトランジスタＱ４３に流れる電流をザッピングによって調整する。【選択図】        図２
2004213754.tif 000002
【特許請求の範囲】
【請求項１】
ビデオヘッドで得られた読み取り信号から２つの異なる特定周波数のパイロット信号を抽出する一対のバンドパスフィルタと、この一対のバンドパスフィルタの出力レベルを比較するコンパレータと、を含み、コンパレータの出力からビデオトラックのトラッキングのための信号を得るトラッキング信号処理回路であって、
前記バンドパスフィルタは、入力信号の経路に配置されるハイパス用コンデンサと、入力信号の経路とグランドの間に配置されるローパス用コンデンサと、信号の増幅を行うオペアンプとを有し、オペアンプのｇｍを変更することでフィルタリング特性を調整可能なものであり、
このオペアンプのｇｍを調整するための電流は、ザッピング回路を利用したザッピングによって設定可能であるトラッキング信号処理回路。
【請求項２】
請求項１に記載の回路であって、
前記ザッピング回路は、
定電流源の電流量を決定する基準電流を流す基準トランジスタと、
この基準トランジスタに流れる基準電流の少なくとも一部を構成する調整電流を流す調整電流トランジスタと、
この調整電流トランジスタとカレントミラーを構成し、調整電流トランジスタに流れる調整電流の大きさを決定するダイオード接続された電流量決定トランジスタと、
この電流量決定トランジスタと並列接続され、オンの場合に電流量決定トランジスタに代わって電流を流して電流量決定トランジスタの電流をオフし、オフの場合に電流量決定トランジスタが電流を流すスイッチングトランジスタと、
を有し、
前記スイッチングトランジスタがザッピング端子に対するザッピング操作によってオンまたはオフに設定され、これによって基準電流量が調整される、
トラッキング信号処理回路。
【発明の詳細な説明】
【０００１】
【発明の属する技術分野】
ビデオのトラッキング信号を得るトラッキング信号処理回路に関する。
【０００２】
【従来の技術】
図５に、デジタルビデオカム（ＤＶＣ）における記録の説明図を示す。磁気テープ１は、ロータリヘッド２の周辺を走行し、その磁気テープ１の進行方向と同方向にロータリヘッド２が回転する。そして、ロータリヘッド２は、磁気テープ１を斜めに横切るように回転するため、磁気テープ１には所定のアジマス角を持って斜め方向のトラックが形成される。ロータリヘッド２には、磁気テープ１に２つの異なるアジマス角を持ったＬｃｈ−Ｈｅａｄ、Ｈｃｈ−Ｈｅａｄの２つのヘッドが設けられ、これらヘッドをヘッドスイッチングパルス（ＨＥＡＤ−ＳＷ  ＰＵＬＳＥ）によって切り換えて、交互に書き込みが行われる。
【０００３】
この書き込みの際にＨｃｈまたはＬｃｈ側（図６ではは便宜上Ｈｃｈ側）にＦ１＝４６５ＫＨｚ，Ｆ２＝６９７．５ＫＨｚの２つ異なる周波数のパイロット信号を交互に記録している。
【０００４】
再生時は、記録された磁気信号を２つのヘッドでトレースするのであるが、Ｌｃｈ−ＨＥＡＤでトレースする場合、ヘッド位置がずれたとすると、両側のＨｃｈ−ＨＥＡＤで記録されている信号分がクロストーク成分となってもれてしまう。
【０００５】
そこで、ヘッドをジャストポイントに持ってくる操作として、両側に記録されているＦ１，Ｆ２の信号成分の大きさを検波し、信号成分がなくなったポイントをサーボマイコンに送り、ヘッドのトラッキング制御を行っている。
【０００６】
ＤＶＣ用のトラッキング回路であるＡＴＦ回路は、図５のような構成を有しており、磁気テープ（ＴＡＰＥ）上に２つのヘッド（Ｈ／Ｌｃｈ）により記録された再生信号に含まれている４６５ＫＨｚと６９７．５ＫＨｚ成分をそれぞれ４６５Ｋ−ＢＰＦ、６９７．４Ｋ−ＢＰＦで取り出し、これらのレベルをコンパレータＣＯＭＰにおいて比較する。そして、比較結果の信号をＡＴＦ出力としている。すなわち、ＡＴＦ出力が０となるようにサーボマイコンがトラッキングを制御する。
【０００７】
【発明が解決しようとする課題】
ここで、ＡＴＦ回路における出力を正確なものにするためには、２つのバンドパスフィルタ４６５Ｋ−ＢＰＦ、６９７．４Ｋ−ＢＰＦの通過中心周波数Ｆ０を正しく設定する必要がある。そこで、通常の場合、外部から操作のできるボリューム等を設け、この調整を行っている。特に、この調整は、ビデオカメラセットの生産工程で一台ごとに行わなくてはならない作業であり、その作業に手間がかかるという問題があった。
【０００８】
【課題を解決するための手段】
本発明は、ビデオヘッドで得られた読み取り信号から２つの異なる特定周波数のパイロット信号を抽出する一対のバンドパスフィルタと、この一対のバンドパスフィルタの出力レベルを比較するコンパレータと、を含み、コンパレータの出力からビデオトラックのトラッキングのための信号を得るトラッキング信号処理回路であって、前記バンドパスフィルタは、入力信号の経路に配置されるハイパス用コンデンサと、入力信号の経路とグランドの間に配置されるローパス用コンデンサと、信号の増幅を行うオペアンプとを有し、オペアンプのｇｍを変更することでフィルタリング特性を調整可能なものであり、このオペアンプのｇｍを調整するための電流は、ザッピング回路を利用したザッピングによって設定可能であることを特徴とする。
【０００９】
このように、オペアンプのｇｍをザッピングによって調整できるため、その調整作業が容易である。
【００１０】
また、前記ザッピング回路は、定電流源の電流量を決定する基準電流を流す基準トランジスタと、この基準トランジスタに流れる基準電流の少なくとも一部を構成する調整電流を流す調整電流トランジスタと、この調整電流トランジスタとカレントミラーを構成し、調整電流トランジスタに流れる調整電流の大きさを決定するダイオード接続された電流量決定トランジスタと、この電流量決定トランジスタと並列接続され、オンの場合に電流量決定トランジスタに代わって電流を流して電流量決定トランジスタの電流をオフし、オフの場合に電流量決定トランジスタが電流を流すスイッチングトランジスタと、を有し、前記スイッチングトランジスタがザッピング端子に対するザッピング操作によってオンまたはオフに設定され、これによって基準電流量が調整されることが好適である。
【００１１】
このザッピング回路を利用すれば、調整電流の精度を高くすることができる。
【００１２】
【発明の実施の形態】
以下、本発明の実施形態について、図面に基づいて説明する。
【００１３】
図１に、実施形態に係るトラッキング用信号であるＡＴＦ信号を出力するための回路の構成を示す図である。
【００１４】
このように、ロータリヘッドに設けられた２つのヘッド（ＨＥＡＤ：Ｌｃｈ，ＨＥＡＤ：Ｈｃｈ）２０、２２より取り出された再生信号は、２つの独立したアンプ（ＰＢ：Ｌｃｈ，ＰＢ：Ｈｃｈ）２４、２６で増幅される。このアンプからの増幅信号は、ヘッド切換パルスによってスイッチングされるスイッチ２８を介し、バンドパスフィルタ（４６５Ｋ−ＢＰＦ，６９７．５Ｋ−ＢＰＦ）に入力される。これによって、再生信号中の２つのパイロット信号がそれぞれ抽出される。
【００１５】
次に、両バンドパスフィルタ（４６５Ｋ−ＢＰＦ，６９７．５Ｋ−ＢＰＦ）３０、３２の出力信号がコンパレータ（ＣＯＭＰ）３４に入力され、ここで２つのパイロット信号のレベルが比較される。すなわち、コンパレータ（ＣＯＭＰ）３４では入力信号を検波して、それらの直流レベルを比較する。そして、得られた比較結果がＡＴＦ信号として出力される。なお、このパイロット信号は磁気テープのＨｃｈまたはＬｃｈのいずれかのトラックに記録されており、これが記録されていないトラックを再生しているときには、ヘッドがずれに応じて２つのパイロット信号の大きさが変化する。従って、ＡＴＦ信号はヘッドがどちらにどれだけずれているかを示す信号となる。そして、ＡＴＦ信号は、サーボマイコンに供給され、サーボマイコンがＡＴＦ信号に基づきロータリヘッドの磁気テープに対するトレース位置を制御する。
【００１６】
上述のようなＡＴＦ動作上、２つのバンドパスフィルタ（４６５Ｋ−ＢＰＦ，６９７．５Ｋ−ＢＰＦ）３０、３２の通過中心周波数Ｆ０のばらつきは、検波エラーに大きく影響する。このため、Ｆ０を各回路毎に調整する必要がある。
【００１７】
図２に、バンドパスフィルタ（４６５Ｋ−ＢＰＦ，６９７．５Ｋ−ＢＰＦ）の構成を示す。コンデンサの大きさや、オペアンプの定数が相違するが、２つのバンドパスフィルタは、同一の構成を持っている。
【００１８】
アンプからの再生信号はコンデンサＣ１を介し出力される。このコンデンサＣ１の出力は、オペアンプＯＰ１の負入力端に入力されている。このｇｍ＝ｇｍ１のオペアンプＯＰ１の正入力端には基準電圧Ｖｒｅｆが入力されている。オペアンプＯＰ１出力端には、コンデンサＣ１の一端が接続されており、コンデンサＣ１の他端はグランドに接続されている。また、オペアンプＯＰ１の出力は、ｇｍ＝ｇｍ２のオペアンプＯＰ２の正入力端に入力される。このオペアンプＯＰ２の負入力端には、オペアンプＯＰ２の出力が帰還されている。
【００１９】
このような回路において、コンデンサＣ１は、ハイパスフィルタとして機能し、コンデンサＣ２はローパスフィルタとして機能する。従って、これらコンデンサＣ１、Ｃ２の容量およびオペアンプＯＰ１、ＯＰ２のｇｍなどの仕様を設定することで、バンドパスフィルタの通過帯域幅、通過中心周波数Ｆ０などを設定することができる。
【００２０】
そして、この回路では、オペアンプＯＰ１、ＯＰ２のｇｍを調整するための回路を有している。すなわち、オペアンプＯＰ１、ＯＰ２には、これらのｇｍを決定する電流を流すトランジスタＱ４１、Ｑ４２が接続されている。このトランジスタＱ４１、Ｑ４２はＮＰＮ型トランジスタであり、コレクタがＯＰ１、ＯＰ２に接続され、エミッタはグランドに接続され、ベースは、カレントミラー入力側トランジスタＱ４３のベースに接続されている。このトランジスタＱ４３は、調整用電流を流すトランジスタであり、コレクタが調整電流の電流源であるザッピング回路に接続され、エミッタがグランドに接続されている。また、コレクタエミッタ間は、短絡用のトランジスタＱ４４で接続されている。このトランジスタＱ４４は、ＮＰＮ型で、ベースがトランジスタＱ４３のコレクタに接続され、コレクタが電源、エミッタがトランジスタＱ４３のベースに接続されており、トランジスタＱ４３のコレクタベース間を短絡している。
【００２１】
このような回路によれば、トランジスタＱ４３に流れる電流と実質的に同一の電流がトランジスタＱ４１、Ｑ４２に流れる。そこで、トランジスタＱ４３に流れる調整電流の大きさを調整することでオペアンプＯＰ１、ＯＰ２のｇｍを調整して、バンドパスフィルタの中心周波数を調整することができる。
【００２２】
そして、本実施形態では、この調整電流を発生する回路として、ザッピングによって、調整電流量を調整することができるザッピング回路を使用する。そこで、本実施形態によるザッピング回路について説明する。
【００２３】
図３は、実施形態によるザッピング回路を示す図である。基準電源１０は、基準電圧を出力する回路であり、本実施形態では、所定の電源Ｖｒｅｇとグランドの間に配置した抵抗Ｒ１、ダイオードＤ１、抵抗Ｒ２の直列接続からなっている。これによって、電源Ｖｒｅｇの電圧と、ダイオードＤ１での電圧降下（１Ｖｂｅ）と、抵抗Ｒ０１、Ｒ０２の抵抗値でダイオードＤ１の上側（アノード側）電圧が決定され、これが基準電圧として出力される。従って、基準電圧には、ダイオードＤ１における１Ｖｂｅについての温度特性がのることになる。
【００２４】
基準電圧は、オペアンプＯＰ１の正入力端に入力される。このオペアンプＯＰ１は、出力端が負入力端に短絡されたバッファアンプである。従って、オペアンプＯＰ１の出力には、基準電圧が安定して出力される。
【００２５】
オペアンプＯＰ１の出力には、抵抗１を介し、２つのエミッタがグランドに接続されたＮＰＮトランジスタＱ１、Ｑ２のコレクタが接続されている。トランジスタＱ２のベースエミッタ間は短絡（ダイオード接続）されており、このトランジスタＱ２のベースには、エミッタがグランドに接続されたＮＰＮトランジスタＱ３のベースが接続されている。従って、トランジスタＱ２、とＱ３はカレントミラーを構成する。そして、基準電圧から１Ｖｂｅを減算した電圧を抵抗Ｒ１の抵抗値で除算した大きさの調整電流Ｉ１がトランジスタＱ２に流れ、同じ電流がトランジスタＱ３にも流れる。
【００２６】
この例では、オペアンプＯＰ１の出力には、抵抗Ｒ１、トランジスタＱ１、Ｑ２、Ｑ３からなる回路と同一構成の回路がもう２つ設けられている。すなわち、抵抗Ｒ２、トランジスタＱ４、Ｑ５、Ｑ６からなる回路と、抵抗Ｒ３、トランジスタＱ７、Ｑ８、Ｑ９からなる回路とが、設けられており、トランジスタＱ６は抵抗Ｒ２によって決定される調整電流Ｉ２を流し、トランジスタＱ６は抵抗Ｒ２によって決定される調整電流Ｉ３を流す。
【００２７】
トランジスタＱ３、Ｑ６、Ｑ９のコレクタは、エミッタが抵抗を介し電源Ｖｒｅｇに接続され、ベースエミッタ間が短絡されたＰＮＰトランジスタＱ１０のコレクタに共通接続されている。従って、トランジスタＱ３、Ｑ６、Ｑ９に流れる調整電流を加算したものがトランジスタＱ１０に流れる。このトランジスタＱ１０には、エミッタが抵抗を介し電源Ｖｒｅｇに接続されたＰＮＰトランジスタＱ１１のベースが接続されており、このトランジスタＱ１１のエミッタが電流出力端となっている。
【００２８】
従って、トランジスタＱ１０とトランジスタＱ１１はカレントミラーを構成しており、基準トランジスタであるトランジスタＱ１１に流れる基準電流と同一の基準電流がトランジスタＱ１１に流れ、これが出力される。なお、トランジスタＱ１０とカレントミラー接続をするトランジスタを複数設ければそれぞれから基準電流を出力することができる。なお、出力トランジスタのエミッタ面積を変更すれば、出力する電流の大きさは異なる値に設定できる。
【００２９】
トランジスタＱ１のベースには、電源Ｖｒｅｇとグランドの間に配置された３つの抵抗Ｒ１１、Ｒ１２、Ｒ１３の直列接続の抵抗Ｒ１２、Ｒ１３の接続点が接続されている。この抵抗Ｒ１２、Ｒ１３の接続点の電圧はトランジスタＱ１が十分オンする電圧となるように抵抗Ｒ１１、Ｒ１２、Ｒ１３の抵抗値が設定されている。また、抵抗Ｒ１１、Ｒ１２、Ｒ１３の直列接続の抵抗Ｒ１１、Ｒ１２の接続点には、アノードがグランドに接続されたザッピングダイオードＺＤ１のカソードが接続されると共に、ザッピング端子ＰＤ１が接続されている。
【００３０】
また、トランジスタＱ４、Ｑ７のベースにも、トランジスタＱ１のベースに接続されているものと同一の回路が形成されている。すなわち、トランジスタＱ２のベースには、抵抗Ｒ２１、Ｒ２２、Ｒ２３からなる抵抗分割回路と、これに接続されたザッピングダイオードＺＤ２、およびザッピング端子ＰＤ２が接続され、トランジスタＱ３のベースには、抵抗Ｒ３１、Ｒ３２、Ｒ３３からなる抵抗分割回路と、これに接続されたザッピングダイオードＺＤ３、およびザッピング端子ＰＤ３が接続されている。
【００３１】
ザッピング端子ＰＤ１、ＰＤ２、ＰＤ３によるザッピングを行う前は、ザッピングダイオードＺＤ１、ＺＤ２、ＺＤ３は、機能しており、そのカソード側の電圧は維持される。従って、トランジスタＱ１、Ｑ４、Ｑ７はオンしている。これらトランジスタＱ１、Ｑ４、Ｑ７はオンしていると、トランジスタＱ２、Ｑ５、Ｑ８に代わって電流を流すように設定されており、トランジスタＱ２、Ｑ５、Ｑ８には、電流は流れない。従って、トランジスタＱ２、Ｑ３、Ｑ５、Ｑ６、Ｑ８、Ｑ９にも電流は流れず、調整電流Ｉ１＝Ｉ２＝Ｉ３＝０となり、これらの和である電流も０となり、トランジスタＱ１０、トランジスタＱ１１にも電流は流れない。従って、ザッピング回路からの出力電流は０になっている。
【００３２】
このような回路において、ザッピング端子ＰＤ１、ＰＤ２、ＰＤ３にザッピングダイオードＺＤ１、ＺＤ２、ＺＤ３を破壊するに十分な電圧を個別に印加することによって、ザッピングダイオードＺＤ１、ＺＤ２、ＺＤ３を個別に破壊することができる。そして、ザッピングダイオードＺＤ１、ＺＤ２、ＺＤ３は、破壊された場合には、ザッピング端子ＰＤ１、ＰＤ２、ＰＤ３をグランドに接続する。
【００３３】
例えば、ザッピング端子ＰＤ１に所定の電圧を印加し、ザッピングダイオードＺＤ１が破壊された場合には、トランジスタＱ１のベースがグランドに接続され、オフされる。これによって、トランジスタＱ１がオフになり、調整電流Ｉ１がトランジスタＱ２に流れる。従って、トランジスタＱ３、トランジスタＱ１０、トランジスタＱ１１にも調整電流Ｉ１が流れることになる。
【００３４】
ザッピング端子ＰＤ２によりザッピングした場合には、調整電流Ｉ２がトランジスタＱ５、トランジスタＱ６、トランジスタＱ１０、トランジスタＱ１１にも流れ、ザッピング端子ＰＤ３によりザッピングした場合には、調整電流Ｉ３がトランジスタＱ８、トランジスタＱ９、トランジスタＱ１０、トランジスタＱ１１にも流れる。従って、ザッピングによって、トランジスタＱ１１の電流を０、Ｉ１、Ｉ２、Ｉ３、Ｉ１＋Ｉ２、Ｉ２＋Ｉ３、Ｉ３＋Ｉ１、Ｉ１＋Ｉ２＋Ｉ３の８種類に設定することができる。例えば、調整電流Ｉ１、Ｉ２、Ｉ３を１：２：４に設定しておけば、０〜７の７種類の電流を得ることができる。
【００３５】
なお、カレントミラーを構成する２つのトランジスタ（Ｑ１，Ｑ２）（Ｑ４，Ｑ５）（Ｑ７，Ｑ８）同士のエミッタ面積比をそれぞれ変更することで、調整電流Ｉ１、Ｉ２、Ｉ３を個別に変更することができ、また抵抗Ｒ１、Ｒ２、Ｒ３の抵抗値を変更することで、調整電流Ｉ１、Ｉ２、Ｉ３を個別に変更できる。
【００３６】
そして、本実施形態では、トランジスタＱ１、Ｑ４、Ｑ７がオンの場合には、対応する調整電流は流れない。従って、調整電流の設定において、これらトランジスタＱ１、Ｑ４、Ｑ７のオン抵抗を考慮する必要がない。また、トランジスタＱ１、Ｑ４、Ｑ７がオフの場合には、トランジスタＱ２、Ｑ６、Ｑ８に電流が流れる。しかし、上述のように、トランジスタＱ２、Ｑ６、Ｑ８は、コレクタベース間が短絡されており、ここにおける電圧降下は１Ｖｂｅで一定になる。従って、ザッピングを行った場合における調整電流Ｉ１、Ｉ２、Ｉ３は、抵抗Ｒ１、Ｒ２、Ｒ３によるが、トランジスタＱ２、Ｑ６、Ｑ８のオン抵抗にはよらないものとなる。従って、調整電流Ｉ１、Ｉ２、Ｉ３がトランジスタのバラツキの影響を受けにくくなる。さらに、調整電流Ｉ１、Ｉ２、Ｉ３は、トランジスタＱ１，Ｑ４，Ｑ７のＶｂｅの温度特性の影響を受けるが、基準電源１０からの基準電圧がダイオードＤ１のＶｂｅの温度特性の影響を受けるため、両者の温度特性が相殺される。従って、調整電流Ｉ１、Ｉ２、Ｉ３は、トランジスタの温度特性の影響が基本的にないという利点が得られる。
【００３７】
上述の実施形態では、調整電流用のトランジスタＱ２、Ｑ３、Ｑ５、Ｑ６、Ｑ８、Ｑ９をＮＰＮトランジスタとしたが、これに代えてＰＮＰトランジスタを採用することもできる。この場合の回路例を図４に示す。
【００３８】
ザッピング端子ＰＤ１、ＰＤ２、ＰＤ３と、これに接続されるザッピングダイオードＺＤ１、ＺＤ２、ＺＤ３および抵抗Ｒ１１、Ｒ１２、Ｒ１３、Ｒ２１、Ｒ２２、Ｒ２３、Ｒ３１、Ｒ３２、Ｒ３３についての構成は上述の場合と同様である。３つの調整電流オンオフのための回路は同一であり、１つについて説明する。
【００３９】
抵抗Ｒ１２、Ｒ１３の接続点は、ＮＰＮトランジスタＱ２１のベースに接続され、このトランジスタのエミッタはグランドに接続され、コレクタは、２つの抵抗を介し、電源Ｖｒｅｇに接続されている。そして、この２つの抵抗の接続点がＰＮＰトランジスタＱ２２のベースに接続されている。このトランジスタＱ２２のエミッタは電源Ｖｒｅｇに接続され、コレクタは同じくエミッタが電源Ｖｒｅｇに接続されたＰＮＰトランジスタＱ２３のコレクタに接続されている。トランジスタＱ２３のコレクタベース間は短絡されており、そのベースは、トランジスタＱ２４のベースに接続されている。このトランジスタＱ２４はエミッタが電源Ｖｒｅｇに接続されており、トランジスタＱ２３とカレントミラーを構成する。
【００４０】
また、トランジスタＱ２２とＱ２３のコレクタには、出力端と負入力端子が短絡されたオペアンプＯＰ１の出力が抵抗Ｒ１を介し接続されている。オペアンプＯＰ１の正入力端子には、基準電源１２が接続されている。この基準電源は、電源Ｖｒｅｇとグランド間に抵抗Ｒ０１、ダイオードＤ１、抵抗Ｒ０２の直列接続を有している点で、基準電源１０と同一であるが、ダイオードＤ１のカソード（下側）がオペアンプＯＰ１の正入力端に接続されている。
【００４１】
そして、トランジスタＱ２４のコレクタは、エミッタがグランドに接続されコレクタベース間が短絡されたＮＰＮトランジスタＱ２５のコレクタに接続され、このトランジスタＱ２５のベースにエミッタがグランドに接続されたトランジスタＱ２６のベースが接続されている。
【００４２】
従って、ザッピングを行わない場合には、トランジスタＱ２１がオン、トランジスタＱ２２がオン、従ってトランジスタＱ２３、Ｑ２４がオフとなり、調整電流は流れない。一方、ザッピングを行った場合には、トランジスタＱ２１がトランジスタＱ２１がオフ、トランジスタＱ２２がオフ、従ってトランジスタＱ２３、Ｑ２４がオンとなり、調整電流は流れる。そして、この構成においても、トランジスタＱ２３がオンの場合に、Ｖｃｅ＝Ｖｂｅに固定されており、トランジスタＱ２３のオン抵抗の影響を受けない。また、トランジスタＱ２２の温度特性は、ダイオードＤ１の温度特性で補償される。
【００４３】
このように、本実施形態の回路により、安定した電流値の調整電流の調整を行うことができる。そこで、このザッピングにより調整した電流を利用して、バンドパスフィルタにおける中央周波数の調整を適切に行うことができる。
【００４４】
【発明の効果】
以上のように、本発明によれば、オペアンプのｇｍをザッピングによって調整できるため、その調整作業が容易である。
【図面の簡単な説明】
【図１】実施形態のトラッキング信号処理回路の構成を示す図である。
【図２】バンドパスフィルタの構成を示す図である。
【図３】ザッピング回路の一例を示す図である。
【図４】ザッピング回路の他の例を示す図である。
【図５】磁気テープへのパイロット信号の書き込みを説明する図である。
【符号の説明】
２０，２２  ヘッド、２４，２６  ヘッドアンプ、３０，３２  バンドパスフィルタ、３４  コンパレータ、３６，３８  ザッピング回路。
【図１】
2004213754.tif 000003
【図２】
2004213754.tif 000004
【図３】
2004213754.tif 000005
【図４】
2004213754.tif 000006
【図５】
2004213754.tif 000007
【手続補正書】
【提出日】平成15年12月11日(2003.12.11)
【手続補正１】
【補正対象書類名】明細書
【補正対象項目名】０００３
【補正方法】変更
【補正の内容】
【０００３】
この書き込みの際にＨｃｈまたはＬｃｈ側（図５では便宜上Ｈｃｈ側）にＦ１＝４６５ＫＨｚ，Ｆ２＝６９７．５ＫＨｚの２つ異なる周波数のパイロット信号を交互に記録している。


【手続補正２】
【補正対象書類名】明細書
【補正対象項目名】０００６
【補正方法】変更
【補正の内容】
【０００６】
ＤＶＣ用のトラッキング回路であるＡＴＦ回路は、図５のような構成を有しており、磁気テープ（ＴＡＰＥ）上に２つのヘッド（Ｈ／Ｌｃｈ）により記録された再生信号に含まれている４６５ＫＨｚと６９７．５ＫＨｚ成分をそれぞれ４６５Ｋ−ＢＰＦ、６９７．５Ｋ−ＢＰＦで取り出し、これらのレベルをコンパレータＣＯＭＰにおいて比較する。そして、比較結果の信号をＡＴＦ出力としている。すなわち、ＡＴＦ出力が０となるようにサーボマイコンがトラッキングを制御する。


【手続補正３】
【補正対象書類名】明細書
【補正対象項目名】０００７
【補正方法】変更
【補正の内容】
【０００７】
【発明が解決しようとする課題】
ここで、ＡＴＦ回路における出力を正確なものにするためには、２つのバンドパスフィルタ４６５Ｋ−ＢＰＦ、６９７．５Ｋ−ＢＰＦの通過中心周波数Ｆ０を正しく設定する必要がある。そこで、通常の場合、外部から操作のできるボリューム等を設け、この調整を行っている。特に、この調整は、ビデオカメラセットの生産工程で一台ごとに行わなくてはならない作業であり、その作業に手間がかかるという問題があった。


【手続補正４】
【補正対象書類名】明細書
【補正対象項目名】００１３
【補正方法】変更
【補正の内容】
【００１３】
図１は、実施形態に係るトラッキング用信号であるＡＴＦ信号を出力するための回路の構成を示す図である。


【手続補正５】
【補正対象書類名】明細書
【補正対象項目名】００１５
【補正方法】変更
【補正の内容】
【００１５】
次に、両バンドパスフィルタ（４６５Ｋ−ＢＰＦ，６９７．５Ｋ−ＢＰＦ）３０、３２の出力信号がコンパレータ（ＣＯＭＰ）３４に入力され、ここで２つのパイロット信号のレベルが比較される。すなわち、コンパレータ（ＣＯＭＰ）３４では入力信号を検波して、それらの直流レベルを比較する。そして、得られた比較結果がＡＴＦ信号として出力される。なお、このパイロット信号は磁気テープのＨｃｈまたはＬｃｈのいずれかのトラックに記録されており、これが記録されていないトラックを再生しているときには、ヘッドのずれに応じて２つのパイロット信号の大きさが変化する。従って、ＡＴＦ信号はヘッドがどちらにどれだけずれているかを示す信号となる。そして、ＡＴＦ信号は、サーボマイコンに供給され、サーボマイコンがＡＴＦ信号に基づきロータリヘッドの磁気テープに対するトレース位置を制御する。


【手続補正６】
【補正対象書類名】明細書
【補正対象項目名】００１８
【補正方法】変更
【補正の内容】
【００１８】
アンプからの再生信号はコンデンサＣ１を介し出力される。このコンデンサＣ１の出力は、オペアンプＯＰ１１の負入力端に入力されている。このｇｍ＝ｇｍ１のオペアンプＯＰ１１の正入力端には基準電圧Ｖｒｅｆが入力されている。オペアンプＯＰ１１出力端には、コンデンサＣ２の一端が接続されており、コンデンサＣ２の他端はグランドに接続されている。また、オペアンプＯＰ１１の出力は、ｇｍ＝ｇｍ２のオペアンプＯＰ１２の正入力端に入力される。このオペアンプＯＰ１２の負入力端には、オペアンプＯＰ１２の出力が帰還されている。なお、ＯＰ１２の出力がコンデンサＣ１の出力に接続され、この接続点がバンドパスフィルタ３０（３２）の出力となっている。
【手続補正７】
【補正対象書類名】明細書
【補正対象項目名】００１９
【補正方法】変更
【補正の内容】
【００１９】
このような回路において、コンデンサＣ１は、ハイパスフィルタとして機能し、コンデンサＣ２はローパスフィルタとして機能する。従って、これらコンデンサＣ１、Ｃ２の容量およびオペアンプＯＰ１１、ＯＰ１２のｇｍなどの仕様を設定することで、バンドパスフィルタの通過帯域幅、通過中心周波数Ｆ０などを設定することができる。


【手続補正８】
【補正対象書類名】明細書
【補正対象項目名】００２０
【補正方法】変更
【補正の内容】
【００２０】
そして、この回路では、オペアンプＯＰ１１、ＯＰ１２のｇｍを調整するための回路を有している。すなわち、オペアンプＯＰ１１、ＯＰ１２には、これらのｇｍを決定する電流を流すトランジスタＱ４１、Ｑ４２が接続されている。このトランジスタＱ４１、Ｑ４２はＮＰＮ型トランジスタであり、コレクタがＯＰ１１、ＯＰ１２に接続され、エミッタはグランドに接続され、ベースは、カレントミラー入力側トランジスタＱ４３のベースに接続されている。このトランジスタＱ４３は、調整用電流を流すトランジスタであり、コレクタが調整電流の電流源であるザッピング回路に接続され、エミッタがグランドに接続されている。また、コレクタエミッタ間は、短絡用のトランジスタＱ４４で接続されている。このトランジスタＱ４４は、ＮＰＮ型で、ベースがトランジスタＱ４３のコレクタに接続され、コレクタが電源、エミッタがトランジスタＱ４３のベースに接続されており、トランジスタＱ４３のコレクタベース間を短絡している。


【手続補正９】
【補正対象書類名】明細書
【補正対象項目名】００２１
【補正方法】変更
【補正の内容】
【００２１】
このような回路によれば、トランジスタＱ４３に流れる電流と実質的に同一の電流がトランジスタＱ４１、Ｑ４２に流れる。そこで、トランジスタＱ４３に流れる調整電流の大きさを調整することでオペアンプＯＰ１１、ＯＰ１２のｇｍを調整して、バンドパスフィルタの中心周波数を調整することができる。


【手続補正１０】
【補正対象書類名】明細書
【補正対象項目名】００２３
【補正方法】変更
【補正の内容】
【００２３】
図３は、実施形態によるザッピング回路を示す図である。基準電源１０は、基準電圧を出力する回路であり、本実施形態では、所定の電源Ｖｒｅｇとグランドの間に配置した抵抗Ｒ０１、ダイオードＤ１、抵抗Ｒ０２の直列接続からなっている。これによって、電源Ｖｒｅｇの電圧と、ダイオードＤ１での電圧降下（１Ｖｂｅ）と、抵抗Ｒ０１、Ｒ０２の抵抗値でダイオードＤ１の上側（アノード側）電圧が決定され、これが基準電圧として出力される。従って、基準電圧には、ダイオードＤ１における１Ｖｂｅについての温度特性がのることになる。


【手続補正１１】
【補正対象書類名】明細書
【補正対象項目名】００２５
【補正方法】変更
【補正の内容】
【００２５】
オペアンプＯＰ１の出力には、抵抗Ｒ１を介し、２つのエミッタがグランドに接続されたＮＰＮトランジスタＱ１、Ｑ２のコレクタが接続されている。トランジスタＱ２のベースコレクタ間は短絡（ダイオード接続）されており、このトランジスタＱ２のベースには、エミッタがグランドに接続されたＮＰＮトランジスタＱ３のベースが接続されている。従って、トランジスタＱ２、とＱ３はカレントミラーを構成する。そして、基準電圧から１Ｖｂｅを減算した電圧を抵抗Ｒ１の抵抗値で除算した大きさの調整電流Ｉ１がトランジスタＱ２に流れ、同じ電流がトランジスタＱ３にも流れる。


【手続補正１２】
【補正対象書類名】明細書
【補正対象項目名】００２６
【補正方法】変更
【補正の内容】
【００２６】
この例では、オペアンプＯＰ１の出力には、抵抗Ｒ１、トランジスタＱ１、Ｑ２、Ｑ３からなる回路と同一構成の回路がもう２つ設けられている。すなわち、抵抗Ｒ２、トランジスタＱ４、Ｑ５、Ｑ６からなる回路と、抵抗Ｒ３、トランジスタＱ７、Ｑ８、Ｑ９からなる回路とが、設けられており、トランジスタＱ６は抵抗Ｒ２によって決定される調整電流Ｉ２を流し、トランジスタＱ９は抵抗Ｒ３によって決定される調整電流Ｉ３を流す。


【手続補正１３】
【補正対象書類名】明細書
【補正対象項目名】００２７
【補正方法】変更
【補正の内容】
【００２７】
トランジスタＱ３、Ｑ６、Ｑ９のコレクタは、エミッタが抵抗を介し電源Ｖｒｅｇに接続され、ベースコレクタ間が短絡されたＰＮＰトランジスタＱ１０のコレクタに共通接続されている。従って、トランジスタＱ３、Ｑ６、Ｑ９に流れる調整電流を加算したものがトランジスタＱ１０に流れる。このトランジスタＱ１０のベースには、エミッタが抵抗を介し電源Ｖｒｅｇに接続されたＰＮＰトランジスタＱ１１のベースが接続されており、このトランジスタＱ１１のコレクタが電流出力端となっている。


【手続補正１４】
【補正対象書類名】明細書
【補正対象項目名】００２８
【補正方法】変更
【補正の内容】
【００２８】
従って、トランジスタＱ１０とトランジスタＱ１１はカレントミラーを構成しており、基準トランジスタであるトランジスタＱ１０に流れる基準電流と同一の基準電流がトランジスタＱ１１に流れ、これが出力される。なお、トランジスタＱ１０とカレントミラー接続をするトランジスタを複数設ければそれぞれから基準電流を出力することができる。なお、出力トランジスタのエミッタ面積を変更すれば、出力する電流の大きさは異なる値に設定できる。


【手続補正１５】
【補正対象書類名】明細書
【補正対象項目名】００３０
【補正方法】変更
【補正の内容】
【００３０】
また、トランジスタＱ４、Ｑ７のベースにも、トランジスタＱ１のベースに接続されているものと同一の回路が形成されている。すなわち、トランジスタＱ４のベースには、抵抗Ｒ２１、Ｒ２２、Ｒ２３からなる抵抗分割回路と、これに接続されたザッピングダイオードＺＤ２、およびザッピング端子ＰＤ２が接続され、トランジスタＱ７のベースには、抵抗Ｒ３１、Ｒ３２、Ｒ３３からなる抵抗分割回路と、これに接続されたザッピングダイオードＺＤ３、およびザッピング端子ＰＤ３が接続されている。


【手続補正１６】
【補正対象書類名】明細書
【補正対象項目名】００３４
【補正方法】変更
【補正の内容】
【００３４】
ザッピング端子ＰＤ２によりザッピングした場合には、調整電流Ｉ２がトランジスタＱ５、トランジスタＱ６、トランジスタＱ１０、トランジスタＱ１１にも流れ、ザッピング端子ＰＤ３によりザッピングした場合には、調整電流Ｉ３がトランジスタＱ８、トランジスタＱ９、トランジスタＱ１０、トランジスタＱ１１にも流れる。従って、ザッピングによって、トランジスタＱ１１の電流を０、Ｉ１、Ｉ２、Ｉ３、Ｉ１＋Ｉ２、Ｉ２＋Ｉ３、Ｉ３＋Ｉ１、Ｉ１＋Ｉ２＋Ｉ３の８種類に設定することができる。例えば、調整電流Ｉ１、Ｉ２、Ｉ３を１：２：４に設定しておけば、０〜７の８種類の電流を得ることができる。


【手続補正１７】
【補正対象書類名】明細書
【補正対象項目名】００３６
【補正方法】変更
【補正の内容】
【００３６】
そして、本実施形態では、トランジスタＱ１、Ｑ４、Ｑ７がオンの場合には、対応する調整電流は流れない。従って、調整電流の設定において、これらトランジスタＱ１、Ｑ４、Ｑ７のオン抵抗を考慮する必要がない。また、トランジスタＱ１、Ｑ４、Ｑ７がオフの場合には、トランジスタＱ２、Ｑ５、Ｑ８に電流が流れる。しかし、上述のように、トランジスタＱ２、Ｑ５、Ｑ８は、コレクタベース間が短絡されており、ここにおける電圧降下は１Ｖｂｅで一定になる。従って、ザッピングを行った場合における調整電流Ｉ１、Ｉ２、Ｉ３は、抵抗Ｒ１、Ｒ２、Ｒ３によるが、トランジスタＱ２、Ｑ５、Ｑ８のオン抵抗にはよらないものとなる。従って、調整電流Ｉ１、Ｉ２、Ｉ３がトランジスタのバラツキの影響を受けにくくなる。さらに、調整電流Ｉ１、Ｉ２、Ｉ３は、トランジスタＱ１，Ｑ４，Ｑ７のＶｂｅの温度特性の影響を受けるが、基準電源１０からの基準電圧がダイオードＤ１のＶｂｅの温度特性の影響を受けるため、両者の温度特性が相殺される。従って、調整電流Ｉ１、Ｉ２、Ｉ３は、トランジスタの温度特性の影響が基本的にないという利点が得られる。


【手続補正１８】
【補正対象書類名】明細書
【補正対象項目名】００４０
【補正方法】変更
【補正の内容】
【００４０】
また、トランジスタＱ２２とＱ２３のコレクタには、出力端と負入力端子が短絡されたオペアンプＯＰ１の出力が抵抗Ｒ１を介し接続されている。オペアンプＯＰ１の正入力端子には、基準電源１２が接続されている。この基準電源１２は、電源Ｖｒｅｇとグランド間に抵抗Ｒ０１、ダイオードＤ１、抵抗Ｒ０２の直列接続を有している点で、基準電源１０と同一であるが、ダイオードＤ１のカソード（下側）がオペアンプＯＰ１の正入力端に接続されている。


【手続補正１９】
【補正対象書類名】明細書
【補正対象項目名】００４２
【補正方法】変更
【補正の内容】
【００４２】
従って、ザッピングを行わない場合には、トランジスタＱ２１がオン、トランジスタＱ２２がオン、従ってトランジスタＱ２３、Ｑ２４がオフとなり、調整電流は流れない。一方、ザッピングを行った場合には、トランジスタＱ２１がオフ、トランジスタＱ２２がオフ、従ってトランジスタＱ２３、Ｑ２４がオンとなり、調整電流は流れる。そして、この構成においても、トランジスタＱ２３がオンの場合に、Ｖｃｅ＝Ｖｂｅに固定されており、トランジスタＱ２３のオン抵抗の影響を受けない。また、トランジスタＱ２２の温度特性は、ダイオードＤ１の温度特性で補償される。


【手続補正２０】
【補正対象書類名】図面
【補正対象項目名】図１
【補正方法】変更
【補正の内容】
【図１】
2004213754.tif 000008
【手続補正２１】
【補正対象書類名】図面
【補正対象項目名】図２
【補正方法】変更
【補正の内容】
【図２】
2004213754.tif 000009
【手続補正２２】
【補正対象書類名】図面
【補正対象項目名】図３
【補正方法】変更
【補正の内容】
【図３】
2004213754.tif 000010